【事件の表示】
　平成　５年特許願第１６５３５６号「磁気共鳴イメージング装置」拒絶査定不服審判事件〔平成　７年　１月２７日出願公開、特開平　７−　２３９２０〕について、次のとおり審決する。
【結　論】
　本件審判の請求は、成り立たない。
【理　由】
１．手続の経緯　
　本願は、平成５年７月５日の出願であって、平成１４年１１月１１日付で拒絶査定がなされ、これに対し同年１２月１９日に拒絶査定に対する審判請求がなされたものである。　
　
２．本願発明　
　本願の請求項１−３に係る発明は、平成１４年４月２６日付手続補正書で補正された明細書及び図面の記載からみて、その特許請求の範囲の請求項１−３に記載されたとおりのものと認められるところ、請求項１に記載された事項は次のとおりである。（以下、請求項１に係る発明を「本願発明」という。）　
　
「高周波コイルと、　
　前記高周波コイルに駆動信号を供給するとともに、被検体から発生する信号を受信する送受信器と、　
　傾斜磁場コイルと、　
　前記傾斜磁場コイルに駆動信号を供給する傾斜磁場電源と、　
　前記受信した信号に基づいて画像データを生成するコンピュータと、　
　前記被検体に対して指示情報を発生する指示情報発生装置と、　
　前記高周波コイルに駆動信号を供給するタイミングと前記傾斜磁場コイルに駆動信号を供給するタイミングとともに、前記被検体に対して前記指示情報を発生するタイミングを記述したタイミングデータを記憶するメモリと、
　前記タイミングデータに従って、前記送受信器及び前記傾斜磁場電源とともに、前記指示情報発生装置を制御するコントローラと　
を具備することを特徴とする磁気共鳴イメージング装置。」　
　
３．引用刊行物記載の発明　
３−１．引用例１に記載された発明　
　これに対して、原査定の拒絶の理由に引用された、本願出願日の前である平成１年８月２２日に頒布された刊行物である特開平１−２０９０５４号公報（以下「引用例１」という。）には、次の事項が記載されている。　
　
（ア）「本発明は、高速撮影において、ムービングアーチファクトのない鮮明な画像を得るために、被検者に、最適な呼吸停止の合図を与えるＮＭＲイメージング装置に関する。」（第１頁右下欄第２−５行）　
（イ）「以下、本発明の実施例１を第１図により説明する。まず全体構成を記述する。ＮＭＲイメージング装置本体は、主に、静磁場コイル１、傾斜磁場コイル２、送受信コイル３より構成され、これにスピーカー４、音声合成装置５が付加されている。これらすべての要素が操作卓８より入力した情報により、コンピュータ７がシーケンス６に命令を与え制御されるようになっている。次にその動作を説明する。オペレーターによって、ボディ撮影の条件で、操作卓８より高速撮影開始の操作ボタンが押されると、コンピュータ７はシーケンス制御部６に命令を送り、まず音声合成装置５が作動し、例えば、‘呼吸を止めて下さい’という音声がスピーカー４より出力される。数秒後（被検者が、前記音声を聞き、呼吸を止めるのに要する時間の後）、シーケンス制御部６は、傾斜磁場コイル２、送受信コイル３を駆動し、ＮＭＲ信号を計測する。ＮＭＲ信号の計測が終わると、コンピュータ１は、再び音声合成装置５に信号を送り、例えば‘呼吸を止めることをやめて下さい’という音声が、スピーカー４より出力される。このことにより、撮影時間中、タイミング良く呼吸を止めることができるので、ムービングアーチファクトのない鮮明な画像が得られる。」（第２頁右上欄第２行−左下欄第５行）　
　
　したがって、引用例１には、　
「送受信コイル３と、傾斜磁場コイル２と、音声合成装置５及びスピーカー４とを備え、これらすべての要素が操作卓８より入力した情報により、コンピュータ７がシーケンス制御部６に命令を与え制御されるようになっているＮＭＲイメージング装置において、操作卓８より撮影開始の操作ボタンが押されると、コンピュータ７はシーケンス制御部６に命令を送り、まず音声合成装置５を作動させて被験者に呼吸停止の指示を送り、その数秒後にシーケンス制御部６は傾斜磁場コイル２，送受信コイル３を駆動し、ＮＭＲ信号の計測を行い、計測が終わると音声合成装置５を作動させて被験者に呼吸停止解除の指示を送るＮＭＲイメージング装置。」（以下、「引用例１記載の発明」という。）が記載されていると認められる。　
　
３−２．引用例２に記載された発明　
　また、本願出願日の前である昭和６２年１０月８日に頒布された刊行物である特開昭６２−２２９４０５号公報（以下「引用例２」という。）には、次の事項が記載されている。　
　
（ウ）「制御すべきイベント名と該イベントを実行させる時刻および該イベントの実行に必要な制御データを１組として複数組記憶する記憶手段と、時々刻々の基準時刻データを発生する刻時手段と、この基準時刻データが変化しない間に、前記記憶手段に記憶されているイベント実行時刻データを順次読出して前記基準時刻データと比較する比較手段と、この比較手段によりイベント実行時刻が基準時刻データと一致したと判定された組のイベント名および制御データに基づいて制御対象を制御する制御手段とを備えたことを特徴とするシーケンス制御回路」（第１頁左下欄第５−１６行）　
（エ）「本発明はシーケンス制御回路に係り、特に磁気共鳴映像装置のように複数のイベントを同時に実行する装置に有用なシーケンス制御回路に関する。」（第１頁右下欄第１２−１５行）　
（オ）「第１図は本発明の一実施例に係るシーケンス制御回路のブロック図である。同図において、イベントメモリ１は第２図に示すようにイベント名と、イベント発生時刻データ、およびイベントの実行に必要な制御データの３つのデータを１組として複数組記憶したものである。このイベントメモリ１は例えばＲＡＭであり、そのデータの書込みは、シーケンス制御に先立ち外部の電子計算機によって行われるものとする。」（第２頁右下欄第１２−２０行および第１−２図）　
　
　したがって、引用例２には、　
「磁気共鳴映像装置におけるシーケンス制御回路において、制御すべきイベント名と該イベントを実行させる時刻および該イベントの実行に必要な制御データを１組として複数組記憶するイベントメモリ１と、時々刻々の基準時刻データを発生する刻時手段と、この基準時刻データが変化しない間に、前記記憶手段に記憶されているイベント実行時刻データを順次読出して前記基準時刻データと比較する比較手段と、この比較手段によりイベント実行時刻が基準時刻データと一致したと判定された組のイベント名および制御データに基づいて制御対象を制御する制御手段とを備えたシーケンス制御回路。」が記載されていると認められる。　
　
３−３．引用例３に記載された発明　
　さらに、本願出願日の前である平成２年１１月１５日に頒布された刊行物である特開平２−２７９１３９号公報（以下「引用例３」という。）には、次の事項が記載されている。　
　
（カ）「撮影条件に応じ、波形発生部による勾配磁場電源への出力波形制御用の基準波形の出力タイミングと、前記波形発生部によるＲＦ送信機への送信信号波形制御用の基準波形の出力タイミングと、データ収集部による被撮像体からのデータの収集タイミングをそれぞれ制御する制御信号を出力するＭＲＩ用制御信号発生装置において、　
　前記各制御信号用のベースデータを記憶したデータメモリと、制御信号の発生手順、発生時間及び継続時間を内容とする命令コードをブロックごとに記憶した命令コードメモリと、　
　設定撮像条件に応じ前記命令コードメモリの所要の前記ブロックの命令コードの内容に従い前記データメモリの所要の前記ベースデータを出力する処理部と、　
　前記処理部の出力を制御信号として前記波形発生部及び前記収集部に出力する信号出力部と　
　を備えたことを特徴とするＭＲＩ用制御信号発生装置。」（第１頁左下欄第５行−右下欄第３行。）　
　
４．対比　
　先ず、引用例１には明記されていないが、引用例１記載の発明は「ＮＭＲイメージング装置」であり、ＮＭＲイメージング装置において、静磁場発生機構、傾斜磁場発生制御機構、高周波磁場発生制御機構、磁気共鳴信号受信機構、画像変換機構が必須の構成要素であることは、当該技術分野の技術常識である（特開平４−３０７０３３号公報の第８図、特開昭６２−２２９４０５号公報の第４図参照。）から、引用例１記載の発明のＮＭＲイメージング装置も「高周波コイルに駆動信号を供給するとともに、被検体から発生する信号を受信する送受信器」、「傾斜磁場コイルに駆動信号を供給する傾斜磁場電源」及び「受信した信号に基づいて画像データを生成するコンピュータ」を備えていることは明らかである。　
　
　次に、本願発明と引用例１記載の発明とを対比する。　
　引用例１記載の発明の「送受信コイル３」、「傾斜磁場コイル２」、「音声合成装置５及びスピーカー４」及び「ＮＭＲイメージング装置」が、それぞれ本願発明の「高周波コイル」、「傾斜磁場コイル」、「被検体に対して指示情報を発生する指示情報発生装置」及び「磁気共鳴イメージング装置」に相当することは明らかである。　
　また、引用例１記載の発明は、「送受信コイル３と、傾斜磁場コイル２と、音声合成装置５及びスピーカー４とを備え、これらすべての要素が操作卓８より入力した情報により、コンピュータ７がシーケンス制御部６に命令を与え制御されるようになっているＮＭＲイメージング装置」であり、「操作卓８より撮影開始の操作ボタンが押されると、コンピュータ７はシーケンス制御部６に命令を送り、まず音声合成装置５を作動させて被験者に呼吸停止の指示を送り、その数秒後にシーケンス制御部６は傾斜磁場コイル２，送受信コイル３を駆動し、ＮＭＲ信号の計測を行い、計測が終わると音声合成装置５を作動させて被験者に呼吸停止解除の指示を送る装置」であるから、「シーケンス制御部６」は「送受信コイル３，傾斜磁場コイル２、音声合成装置５」を定められたタイミング、つまりタイミングデータに従ってそれぞれ動作させるように制御していることは明らかである。したがって、引用例１記載の発明の「シーケンス制御部６」は、本願発明の「タイミングデータに従って、前記送受信器及び前記傾斜磁場電源とともに、前記指示情報発生装置を制御するコントローラ」に相当するということができる。　
　してみると、両者は　
「高周波コイルと、　
　前記高周波コイルに駆動信号を供給するとともに、被検体から発生する信号を受信する送受信器と、　
　傾斜磁場コイルと、　
　前記傾斜磁場コイルに駆動信号を供給する傾斜磁場電源と、　
　前記受信した信号に基づいて画像データを生成するコンピュータと、　
　前記被検体に対して指示情報を発生する指示情報発生装置と、
　タイミングデータに従って、前記送受信器及び前記傾斜磁場電源とともに、前記指示情報発生装置を制御するコントローラとを具備する磁気共鳴イメージング装置。」である点で一致し、以下の点で相違する。　
相違点：本願発明が、高周波コイルに駆動信号を供給するタイミングと傾斜磁場コイルに駆動信号を供給するタイミングとともに、被検体に対して指示情報を発生するタイミングを記述したタイミングデータを記憶するメモリを具備しているのに対し、引用例１記載の発明では、この構成が明示されていない点。　
　
５．当審の判断　
　そこで、上記相違点について検討する。　
　磁気共鳴イメージング装置の分野において、シーケンス制御回路が装置内の各構成要素を動作させるタイミングを記述したタイミングデータを記憶するメモリを具備することは、上記引用例２、引用例３にみられるように周知の技術であって、同じく「磁気共鳴イメージング装置のシーケンス制御回路」である引用例１記載の発明の「シーケンス制御部６」にこの周知技術を用いて、シーケンス制御部にタイミングデータを記憶するメモリを設けることは当業者ならば容易に想到し得たものと認められる。そして、引用例１記載の発明は、上述のように、シーケンス制御部６が、送受信コイル３と、傾斜磁場コイル２と、音声合成装置５及びスピーカー４とを定められたタイミング、つまりタイミングデータに従ってそれぞれ動作させるように制御している磁気共鳴イメージング装置であるから、上記周知技術を引用例１記載の発明に用いて、シーケンス制御部にタイミングデータを記憶するメモリを設ける際に、メモリが、高周波コイルに駆動信号を供給するタイミングと傾斜磁場コイルに駆動信号を供給するタイミングとともに、被検体に対して指示情報を発生するタイミングを記述したタイミングデータを記憶するようにすることは、当業者が普通に採用する事項である。　
　
　そして、本願発明の作用効果も、引用例１記載の発明及び上記周知技術から当業者であれば予測できる範囲のものである。　
　
６．むすび　
　したがって、本願発明は、引用例１記載の発明、及び周知技術に基づいて当業者が容易に発明をすることができたものであるので、特許法第２９条第２項の規定により特許を受けることができない。　
　よって、結論のとおり審決する。